(57)【要約】【課題】基地局から送信されたデータを受信した時からの経過時間を容易に確認することができるようする。【解決手段】基地局と複数の移動局とで構成され、無線回線を介して各移動局の位置や動態情報のデータを収集した基地局からのデータを基に、特定の待機場所における待機移動局数を表示する表示画面１を備えた移動局端末装置において、表示画面１に、待機移動局数データを最後に受信した時からの経過時間を示す表示１ｃあるいは表示１ｄを設ける。【選択図】        図１
2004348299.tif 000002
【特許請求の範囲】
【請求項１】
基地局と複数の移動局とで構成され、無線回線を介して各移動局の位置や動態情報のデータを収集した基地局からのデータを基に、特定の待機場所における待機移動局数を表示する表示手段を備えた移動局端末装置において、
前記表示手段に、待機移動局数データを最後に受信した時からの経過時間を表示するように構成したことを特徴とする移動局端末装置。
【請求項２】
前記経過時間の表示は、待機移動局数データを更新した時、経過時間の表示をゼロに戻すように構成したことを特徴とする請求項１記載の移動局端末装置。
【発明の詳細な説明】
【０００１】
【発明の属する技術分野】
本発明は、移動局端末装置に関し、例えば、タクシー事業用のＡＶＭシステム（Ａｕｔｏｍａｔｉｃ  Ｖｅｈｉｃｌｅ  Ｍｏｎｉｔｏｒｉｎｇ  Ｓｙｓｔｅｍ）に用いるのに好適な移動局端末装置に関するものである。
【０００２】
【従来の技術】
ＡＶＭシステムは、基地局と複数の移動局（車両）から構成されている。基地局は、無線回線により各移動局が任意に伝送してきた位置や動態情報などのデータを収集管理すると共に、その収集データに基づき、各移動局に対して、特定の待機場所における待機移動局数などのデータを定期的に送信し、移動局に搭載した移動局端末装置の表示画面に種々の情報を表示し、通知することができるシステムである。
【０００３】
従来の表示例を図２（ｂ）に示す。この図２（ｂ）は、移動局の待機している場所を場所ごとに表示する待機移動局表示画面を示す。この図２（ｂ）の表示例の場合は、「横浜」、「新横浜」、「東神奈川」および「関内」は、待機場所名（地区名）を表し、また、その上の数字は、各待機場所における待機中の移動局数を表示画面上に表している。したがって、この図２（ｂ）では、「横浜」という待機場所に３台の移動局が待機中で、「新横浜」、「東神奈川」および「関内」のそれぞれの場所には、６台、２台、０台の移動局が待機していることを表している。
【０００４】
また、図２（ａ）に示すように、移動中の移動局は、ＧＰＳ（全世界測位システム：Ｇｌｏｂａｌ  Ｐｏｓｉｓｉｏｎｉｎｇ  Ｓｙｓｔｅｍ）により自動的に位置を測位し、無線回線を介して移動局データ収集方式（ポーリング方式）、または移動局の乗務員が任意に発呼する任意発呼方式などの通信方式で基地局へデータを送信し、基地局では各移動局からのデータを収集管理している。
【０００５】
また、従来の移動局端末装置においては、基地局からのデータを基に、各特定の待機場所における空車の移動局数を表示する表示手段を備え、この表示手段を所定のます目に割り振り、そのます目内に特定の待機場所の名称および空車の移動局数を表示するように構成しているものもある。（例えば、特許文献１参照）
【０００６】
【特許文献１】
特開平９−１３４４９７号公報（第２頁−４頁、第１図）
【０００７】
【発明が解決しようとする課題】
従来の移動局端末装置にあっては、基地局が定期的に待機移動局数を示すデータを送信しているが、無線回線によるデータ通信を行なっているため、移動局がデータを受信できない場合がある。移動局側でデータが正常に受信できない場合には、前回受信したデータが更新されずに古い情報のままの状態が続くことになる。したがって、このような状態が続くと実際の待機移動局数とは大きく違う値が表示され続けるという問題点があった。
【０００８】
また、移動局側では、現在表示されているデータがいつ送られてきたものであるかを確認することができないため、古いデータを参照してしまう虞があり、業務効率が悪くなるという問題点があった。
【０００９】
本発明は、従来の技術の有するこのような問題点に鑑みてなされたものであり、その目的とするところは、基地局から送信されたデータを受信した時からの経過時間を容易に確認することができるようにし、古いデータを参照することがないようにした移動局端末装置を提供しようとするものである。
【００１０】
【課題を解決するための手段】
上記目的を達成するために、本発明の移動局端末装置においては、基地局と複数の移動局とで構成され、無線回線を介して各移動局の位置や動態情報のデータを収集した基地局からのデータを基に、特定の待機場所における待機移動局数を表示する表示手段を備えた移動局端末装置において、
上記表示手段に、待機移動局数データを最後に受信した時からの経過時間を表示するように構成したものである。
【００１１】
また、上記経過時間の表示は、待機移動局数データを更新した時、経過時間の表示をゼロに戻すように構成することが効果的である。
【００１２】
【発明の実施の形態】
発明の実施の形態を実施例にもとづき図面を参照して説明する。
図１（ａ）は、本発明に係る移動局端末装置の表示画面を示す説明図である。図１（ａ）において、移動局端末装置の表示画面１には、複数の特定の待機場所を示す表示１ａと、その各特定の待機場所の表示１ａの各上部に数字で示した待機移動局数の表示１ｂを設けている。
【００１３】
さらに、表示画面１には、待機移動局数のデータを最後に受信してからどれだけ時間が経過しているかを示す経過時間の表示１ｃを表示している。この経過時間を表す数字による表示１ｃは、待機移動局数のデータを受信し、そのデータを更新した時にゼロに戻り、再び時間が経過するごとにカウントアップするように構成している。
【００１４】
上記の図１（ａ）に示す実施例によれば、待機移動局数のデータを受信した時からの経過時間を容易に確認することができるから、従来のように、古いデータを参照してしまい、移動局の業務効率が悪くなるようなことがなくなる。また、移動局側が独自にデータの信頼度を判断することができる。
【００１５】
なお、図１（ａ）の実施例では、待機移動局数のデータを受信した時からの経過時間の表示１ｃを数字で表示する場合について示したが、図１（ｂ）に示すように、経過時間の表示を横棒の積み重ね表示１ｄ、あるいは縦棒の積み重ね表示やグラフ表示、または数字との組み合わせによる表示を採用することもできる。また、時間の経過をカウントダウン式にしてもよい。
【００１６】
【発明の効果】
本発明は、以上説明したように構成されているので、基地局から送信されたデータを受信した時からの経過時間を容易に確認することができ、古いデータを参照することがなくなり、業務効率の向上を図ることができると共に、データの信頼性を高めることができる。
【図面の簡単な説明】
【図１】本発明に係る移動局端末装置の表示画面の実施例を示す説明図である。
【図２】従来のシステム構成および移動局端末装置の表示画面を示す説明図である。
【符号の説明】
１      表示画面
１ａ    各特定の待機場所の表示
１ｂ    待機移動局数の表示
１ｃ    経過時間を表す数字による表示
１ｄ    横棒の積み重ね表示
【図１】
2004348299.tif 000003
【図２】
2004348299.tif 000004